(57)【要約】【課題】床に固定されていない仕切り板において、トイレ室の使用者が手摺代わりに仕切り板に手をかけ、大きなモーメントが下方向にかかった際にも、仕切り板を固定するボルト等の固定具が変形したり、仕切り板の固定箇所が破損したりしてしまうことを防止できる小便器ユニットを提供する。【解決手段】仕切り板は、前面板の前方で小便器と小便器との間を仕切る仕切り部と、前面板の後方で固定部材を介して固定具によってフレームに保持される保持部と、を有し、固定部材は、板を折り曲げた形状であり、仕切り板の側面と平行な第一面と、仕切り板の側面と垂直な第二面と、を有し、第一面は保持部に当接し、第二面はフレームに当接する。【選択図】図５
2018168541.tif 000002
【特許請求の範囲】
【請求項１】
トイレ室の壁面に沿って複数の小便器を配設するライニングユニットと、トイレ室の床から離間して前記複数の小便器の間を仕切る仕切り板と、を備えた小便器ユニットであって、
前記ライニングユニットは、内部に前記小便器への給水を行う配管を収納するフレームと、前記小便器と前記フレームとの間に設けられ前記フレームの正面を覆う前面板と、前記フレームの上面を覆う上面板と、を有し、
前記仕切り板は、前記前面板の前方で前記小便器と小便器との間を仕切る仕切り部と、前記前面板の後方で固定部材を介して固定具によって前記フレームに保持される保持部と、を有し
前記固定部材は、板を折り曲げた形状であり、前記仕切り板の側面と平行な第一面と、前記仕切り板の側面と垂直な第二面と、を有し
前記第一面は前記保持部に当接し、前記第二面は前記フレームに当接することを特徴とする小便器ユニット。
【請求項２】
前記固定部材は複数設けられ、前記保持部は、前記フレームとフレームとの間に設けられ、前記保持部の両側から前記固定部材を介して前記固定具によって前記フレームに保持されることを特徴とする請求項１に記載の小便器ユニット。
【請求項３】
前記固定部材は、前記第一面及び前記第二面に加え、前記仕切り板の側面と平行な第三面を備え、前記第三面は前記フレームに当接することを特徴とする請求項２に記載の小便器ユニット。
【請求項４】
前記保持部と前記仕切り部とが異なる高さを有し、前記仕切り部の上端の方が前記保持部の上端よりも高く形成され、
複数の前記固定部材は、前記前面板によって覆われた前方フレームと、前記上面板によって覆われた上方フレームとに設けられることを特徴とする請求項３に記載の小便器ユニット。
【発明の詳細な説明】
【技術分野】
【０００１】
本発明は、トイレ室の壁面に沿って複数の小便器を配設するライニングユニットと、トイレ室の床から離間して小便器と小便器との間を仕切る仕切り板と、を備えた小便器ユニットに関する。
【背景技術】
【０００２】
外出先で使用するトイレ室に関する意識調査を行ったところ、全体のおよそ３割の人が小便器と小便器との間を仕切る仕切り板を要望していることが分かった。これは、外出先で使用するトイレ室では、小便器を配設するライニングユニットに対して複数の小便器が横並びに連接されるため、仕切り板が無いことで隣の人の視線が気になり落ち着いて用を足せないことからくる要望である。
【０００３】
また、仕切り板が取り付けられているトイレ室の清掃を行う人からは、仕切り板が床に固定されていると清掃性が悪いため、もっと清掃性の良い形状にして欲しいという要望がある。この二つの要望を満足するためには、床に固定されることなく、且つ、隣の人の視線が気になることのない仕切り板がトイレ室に配設されることが好ましい。（例えば特許文献１参照）
【先行技術文献】
【特許文献】
【０００４】
【特許文献１】特開平０１−２７５８１５号公報
【発明の概要】
【発明が解決しようとする課題】
【０００５】
特許文献１には、小便器の使用者が近づくとセンサが感知し、仕切り板を伸長させることで目隠し作用を為す、床に固定されていない仕切り板が記載されている。
【０００６】
しかしながら、仕切り板は、トイレ室の使用者が手摺代わりに手をかけることなどがあり、床に固定されていない仕切り板に対して、このような大きなモーメントが下方向にかかると、仕切り板を固定するボルト等の固定具が変形したり、仕切り板の固定箇所が破損したりしてしまうという課題があった。
【０００７】
本発明は、かかる課題の認識に基づいてなされたものであり、床に固定されていない仕切り板において、トイレ室の使用者が手摺代わりに仕切り板に手をかけ、大きなモーメントが下方向にかかった際にも、仕切り板を固定するボルト等の固定具が変形したり、仕切り板の固定箇所が破損したりしてしまうことを防止できる小便器ユニットを提供することを目的とする。
【０００８】
本発明に係る小便器ユニットは、トイレ室の壁面に沿って複数の小便器を配設するライニングユニットと、トイレ室の床から離間して複数の小便器の間を仕切る仕切り板と、を備えた小便器ユニットであって、ライニングユニットは、内部に小便器への給水を行う配管を収納するフレームと、小便器とフレームとの間に設けられフレームの正面を覆う前面板と、フレームの上面を覆う上面板と、を有し、仕切り板は、前面板の前方で小便器と小便器との間を仕切る仕切り部と、前面板の後方で固定部材を介して固定具によってフレームに保持される保持部と、を有し、固定部材は、板を折り曲げた形状であり、仕切り板の側面と平行な第一面と、仕切り板の側面と垂直な第二面と、を有し、第一面は保持部に当接し、第二面はフレームに当接することを特徴とする小便器ユニットである。
【０００９】
本発明に係る仕切り板は、トイレ室の床に固定されておらず、ライニングユニットの内部で固定されている。そのため、複数の小便器の間を仕切る仕切り板が有りながらも清掃性が良いトイレ室を提供することができる。
【００１０】
また、ライニングユニットの内部にある仕切り板の保持部は、仕切り板の側面と平行な第一面と、垂直な第二面とを有する固定部材を介してボルト等の固定具によって固定されている。
【００１１】
このとき、第一面が保持部に当接し、ボルト等の固定具によって固定されることによって、固定部材の第一面と、仕切り板の保持部とによる摩擦力が生じる。この摩擦力は、トイレ室の使用者が手摺代わりに仕切り板に手をかけ、大きなモーメントが下方向にかかった際に、それに抗する上方向のモーメントを生じる。そのため、ボルト等の固定具が支える下方向のモーメントを減少させることができる。
【００１２】
また、第二面がフレームに当接することによって、トイレ室の使用者が手摺代わりに仕切り板に手をかけた際に生じる下方向のモーメントを、ボルト等の固定具だけで支えることなく、フレームにも分散することができる。そのため、ボルト等の固定具が支える下方向のモーメントを減少させることができる。
【００１３】
これによって、床に固定されていない仕切り板において、トイレ室の使用者が手摺代わりに仕切り板に手をかけ、大きなモーメントが下方向にかかった際に、仕切り板を固定するボルト等の固定具にかかる下方向のモーメントを十分に減少させることができるため、ボルト等の固定具が変形したり、仕切り板の固定箇所が破損したりしてしまうことを防止できる小便器ユニットを提供することができる。
【００１４】
また、本発明に係る小便器ユニットにおいて、好ましくは、固定部材は複数設けられ、保持部は、フレームとフレームとの間に設けられ、保持部の両側から固定部材を介して固定具によってフレームに保持される。
【００１５】
この構成によれば、保持部は、保持部の両側にあるフレームに対して、複数ある固定部材によって挟みこまれ、固定具によってフレームに保持される。そのため、使用者が仕切り板にぶつかってしまったときなどに生じる左右方向のモーメントも、ボルト等の固定具だけで支えることなく、フレームに分散することができる。そのため、ボルト等の固定具が支える左右方向のモーメントも減少させることができる。
【００１６】
また、本発明に係る小便器ユニットにおいて、好ましくは、固定部材は、第一面及び第二面に加え、仕切り板の側面と平行な第三面を備え、第三面はフレームに当接する。
【００１７】
この構成によれば、第一面が保持部に当接し、さらに、第三面がフレームに当接し、ボルト等の固定具によって固定されることによって、固定部材の第一面と、仕切り板の保持部と、固定部材の第三面と、フレームとによる摩擦力が生じるため、摩擦力がさらに上昇する。そのため、大きなモーメントが下方向にかかった際に、それに抗する上方向のモーメントが増大するので、仕切り板を固定するボルト等の固定具にかかる下方向のモーメントをさらに減少させることができる。
【００１８】
また、本発明に係る小便器ユニットにおいて、好ましくは、保持部と仕切り部とが異なる高さを有し、仕切り部の上端の方が保持部の上端よりも高く形成され、複数の固定部材は、前面板によって覆われた前方フレームと、上面板によって覆われた上方フレームとに設けられる。
【００１９】
仕切り板を取り付けた際に、隣の人の視線が気にならないような仕切り板の形状として、好ましくは、仕切り板の仕切り部が備える面の上端の高さが人間の目線を遮るように、なるべく高くなっていることが好ましい。このとき、仕切り板の保持部を固定する位置を高くするためにフレームを高くすると、トイレ室の使用者が用を足す際に手荷物等を置く上面板の高さも高くなってしまうためトイレ室の使い勝手が悪くなってしまう。
【００２０】
また、仕切り板の仕切り部がライニングユニットの上面板を分断するような形状にすると、仕切り板が取り付けられていなかった現場に、新たに仕切り板を取り付ける際、上面板を切断するなどの手間がかかるため施工性が悪い。
【００２１】
この構成によれば、保持部と仕切り部とが異なる高さを有しており、保持部の上端よりも仕切り部の上端が高くなっているため、保持部を固定する位置を変えことなく仕切り部が備える面の上端を使用者の目線を遮るような高さにすることができる。
【００２２】
そのため、フレーム及び上面板の高さが従来と変わらないため、トイレ室の使い勝手を損なうことがない。さらに、仕切り板が取り付けられていなかった現場に、新たに仕切り板を取り付ける際にも、上面板を切断するなどの施工を必要としないため施工性が良い。
【００２３】
このとき、仕切り部の面を高くしたことにより仕切り板が大きくなり仕切り板自体の重量も大きくなる。これにより、ボルト等の固定具が支える下方向のモーメントが大きくなってしまう。そこで、複数の固定部材は、保持部の両側にあるフレームの、前面板によって覆われた前方フレームと、上面板によって覆われた上方フレームとに設けられるように構成した。
【００２４】
これによって、大きくなった下方向のモーメントを、さらに多くの箇所でフレームに分散できるようになり、隣の人の視線を気にすることがないように、大型化した床に固定されない仕切り板において、仕切り板を固定するボルト等の固定具が変形したり、仕切り板の固定箇所が破損したりしてしまうことを防止できる小便器ユニットを提供することができる。
【発明の効果】
【００２５】
本発明の態様によれば、トイレ室の壁面に沿って複数の小便器を配設するライニングユニットと、トイレ室の床から離間して小便器と小便器との間を仕切る仕切り板と、を備えた小便器ユニットにおいて、仕切り板を固定するボルト等の固定具が変形したり、仕切り板の固定箇所が破損したりしてしまうことを防止できる小便器ユニットを提供することができる。
【図面の簡単な説明】
【００２６】
【図１】本実施形態に係る小便器ユニットを示す外観図である。
【図２】本実施形態に係る小便器の取り付け状態を示す斜視図である。
【図３】本実施形態に係る小便器ユニットの側面図である。
【図４】本実施形態に係る小便器ユニットの正面図である。
【図５】本実施形態に係る小便器ユニットの前方斜視図である。
【図６】本実施形態に係る小便器ユニットの後方斜視図である。
【発明を実施するための形態】
【００２７】
以下、本発明の実施の形態について図面を参照しつつ説明する。なお、各図面中、同一要素または同一機能を有する構成要素には、同一符号を用いることとし、重複する説明は省略する。
【００２８】
図１は、本実施形態に係る小便器ユニットを示す外観図である。
【００２９】
本実施形態に係るトイレ室１には、複数の小便器３と、小便器３を配設するためのライニングユニット５と、小便器３と小便器３との間を仕切る仕切り板７とが設けられている。仕切り板７は、トイレ室１の清掃性を損なわないように、トイレ室１の床９から離間してライニングユニット５に取り付けられている。
【００３０】
図２は、本実施形態に係る小便器の取り付け状態を示す斜視図である。
【００３１】
本実施形態において、ライニングユニット５は、小便器３の正面から見て矩形になるように複数のフレーム部材を組み合わせて形成されるフレーム１１と、小便器３とフレーム１１との間に設けられ、フレーム１１の前面を覆う前面板１３と、フレーム１１の上面を覆う上面板１５とから構成されている。なお、フレーム１１によって囲まれた内部空間には、小便器３に給水や排水を行う給排水管１７などが収納されている。その給排水管１７を避けるため、側面視においてフレーム１１はＬ字を上下反転させた形状を有している。以下、説明の便宜上、前面板１３によって覆われたフレーム１１を前方フレーム１１ａと称し、上面板１５によって覆われたフレーム１１を上方フレーム１１ｂと称する。
【００３２】
フレーム１１は、トイレ室１の壁面に沿って配置され、トイレ室１の床９にアンカーボルト等（図示せず）で固定されている。小便器３は、前面板１３を介してフレーム１１にボルト等の固定具で固定される。
【００３３】
図３は、本実施形態に係る小便器ユニットの側面図である。
【００３４】
ライニングユニット５の外部で、小便器３と小便器３との間を仕切る仕切り板７は、ライニングユニット５の内部で、固定部材１９を介して固定具であるボルト２０によってフレーム１１に固定される。以下、説明の便宜上、ライニングユニット５の内部にある仕切り板を保持部７ａと称し、ライニングユニット５の外部にある仕切り板を仕切り部７ｂと称する。なお、固定具は、ボルト２０でなくネジであってもよい。
【００３５】
本実施形態に係る仕切り板７において、保持部７ａと、仕切り部７ｂとはそれぞれ異なる高さを有する。具体的には、フレーム１１に対して固定される仕切り板７の保持部７ａが備える上下方向に延びる面の上端の高さと、使用者と使用者とを仕切る仕切り部７ｂが備える上下方向に延びる面の上端の高さとが異なっている。
【００３６】
仕切り板７の保持部７ａ及び仕切り部７ｂが有する上下方向に延びる面は、本来、仕切り板７の重量を大きくしないために小さいことが好ましい。一方で、トイレ室１の小便器３の使用者が隣の使用者を気にすることなく用を足すために、仕切り部７ｂが有する面は、使用者の目線を遮る程度の高さを有していることが好ましい。
【００３７】
このとき、仕切り板７の仕切り部７ｂが有する面の理想とする高さに、仕切り板７の保持部７ａが有する面の高さを合わせようとすると、仕切り板７自体の重量が大きくなりすぎるだけでなく、仕切り板７を施工する際に、ライニングユニット５の上面を覆う上面板１５を切断するという手間がかかる。
【００３８】
仮に、ライニングユニット５の上面を覆う上面板１５を切断せずに仕切り板７を施工できるようにすると、ライニングユニット５を構成するフレーム１１を仕切り板７の仕切り部７ｂが有する面の理想とする高さに合わせて大型化する必要があるため、それに伴って、上面板１５が設けられる位置が従来よりも高くなる。
【００３９】
上面板１５は、小便器３の使用者が荷物をおくために利用することもあるため、仕切り部７ｂが有する面の理想とする高さに合わせて高くしてしまうと、トイレ室１の使用者にとって不便になってしまう。
【００４０】
そのため、本実施形態に係る仕切り板７において、保持部７ａが備える面の上端の高さよりも、仕切り部７ｂが備える面の上端の高さの方が高くなるように構成されている。
【００４１】
これによって、「隣の人の視線が気になるから仕切り板が欲しい」という使用者の要望に答えることができ、且つ、上面板１５を切断することなく施工できるため、施工性の良い仕切り板７を提供することができる。なお、仕切り板７の重量を小さくするため、トイレ室１の使用者を仕切ることのない保持部７ａが有する面は切り欠き構造を有していても良い。
【００４２】
図４は、本実施形態に係る小便器ユニットの正面図である。説明の便宜上、前面板と仕切り板の仕切り部を除いて表している。
【００４３】
仕切り板７は、フレーム１１とフレーム１１との間に設けられ、固定部材１９を介してフレーム１１に固定される。これによって、トイレ室１の使用者が仕切り板７にぶつかってしまったときなどに生じる左右方向のモーメントを、仕切り板７の保持部７ａを固定するボルト２０のみでなくフレーム１１にも分散させることができる。
【００４４】
図５及び図６は、本実施形態に係る小便器ユニットの前方斜視図及び後方斜視図である。
【００４５】
本実施形態に係る固定部材１９は、仕切り板７が備える面と平行な第一面１９ａ及び第三面１９ｃと、仕切り板７が備える面と垂直な第二面１９ｂと、を有しており、Ｚ型の形状に構成されている。
【００４６】
本実施形態において、Ｚ型の固定部材１９は、前面板１３と接する前方フレーム１１ａと、上面板１５と接する上方フレーム１１ｂと、に設けられている。つまり、仕切り板７の保持部７ａは、このＺ型形状の固定部材１９を介してフレーム１１にボルト２０によって左右両側のフレーム１１に対して合計四箇所で固定されている。
【００４７】
このとき、固定部材１９が有する３つの面である１９ａ、１９ｂ及び１９ｃは、仕切り板７の保持部７ａ及びフレーム１１に対して隙間を空けることなくしっかりと当接している。
【００４８】
仕切り板７が備える面と平行な第一面１９ａ及び第三面１９ｃが当接していることによって、仕切り板７自体の重量によって生じる下方向のモーメントに対して、ボルト２０のように点のみで固定するだけでなく、フレーム１１と、固定部材の第一面１９ａ及び第三面１９ｃと、仕切り板７の保持部の７ａの面と、から生じる摩擦力によって面でも固定することができる。
【００４９】
このとき生じる摩擦力は、仕切り板７自体の重量や、トイレ室１の使用者が手摺代わりに仕切り板７に手をかけたことによって生じる下方向のモーメントに対して、それに抗する上方向のモーメントとなる。この上方向のモーメントは、面で接する面積が広ければ広いほど大きな上方向のモーメントとなる。
【００５０】
また、固定部材１９が有する仕切り板７が備える面と垂直な第二面１９ｂが、前方フレーム１１ａ及び上方フレーム１１ｂに当接していることによって、ボルト２０及び固定部材１９が受ける下方向のモーメントを前方フレーム１１ａ及び上方フレーム１１ｂに分散させることができる。
【００５１】
以上のような構成によって、トイレ室１の床９から離間して小便器３と小便器３との間を仕切る仕切り板７において、トイレ室１の使用者が手摺代わりに仕切り板７に手をかけ、仕切り板７自体の重量よりも大きなモーメントが下方向にかかった際にも、仕切り板７を固定するボルト２０が変形したり、仕切り板７の固定箇所が破損したりしてしまうことを防止できる。
【符号の説明】
【００５２】
１・・・トイレ室
３・・・小便器
５・・・ライニングユニット
７・・・仕切り板
７ａ・・・保持部
７ｂ・・・仕切り部
９・・・床
１１・・・フレーム
１３・・・前面板
１５・・・上面板
１７・・・給排水管
１９・・・固定部材
１９ａ・・・第一面
１９ｂ・・・第二面
１９ｃ・・・第三面
２０・・・ボルト
【図１】
2018168541.tif 000003
【図２】
2018168541.tif 000004
【図３】
2018168541.tif 000005
【図４】
2018168541.tif 000006
【図５】
2018168541.tif 000007
【図６】
2018168541.tif 000008